(57)【要約】【課題】注射薬自動払出作業において、他の施用分の注射薬と交じり合うことがなく、払い出された注射薬の確認を行い安全性の高い注射薬払出しを行う。【解決手段】患者ごとの処方箋に従って複数の注射薬供給カセット２に収納された注射薬を供給カセット２から取出して、所定の注射薬を払い出す注射薬自動払出装置であって、カセット２から所望の種類及び数の注射薬を取り出す取出部を有する取出装置５と、取出装置５を介して一回の注射薬の払い出し分を収納する親トレー７と、その親トレー７の中に患者への一回の注射薬の施用分を収納する複数個の子トレー１０と、親トレー７或いは子トレー１０に患者情報と注射薬情報及びトレー情報を有する施用ラベル６１を投入する施用ラベル投入装置２８と、を備える。【選択図】図１
2006109899.tif 000002
【特許請求の範囲】
【請求項１】
患者ごとの処方箋に従って複数の注射薬供給カセットに収納された注射薬を供給カセットから取出して、所定の注射薬を払い出す注射薬自動払出装置であって、
前記カセットから所望の種類及び数の注射薬を取り出す取出部を有する取出装置と、
前記取出装置を介して一回の注射薬の払い出し分を収納する親トレーと、
その親トレーの中に患者への一回の注射薬の施用分を収納する複数個の子トレーと、
前記親トレー或いは子トレーに患者情報と注射薬情報及びトレー情報を有する施用ラベルを投入する施用ラベル投入装置と、
を備えたことを特徴とする注射薬自動払出装置。
【請求項２】
前記子トレーは、複数種類の形状、大きさを有し、前記親トレー内に隙間なく複数個配置されることを特徴とする請求項１に記載の注射薬自動払出装置。
【請求項３】
前記子トレーは、患者への1回分の施用分として親トレーから個別に取り出すことができることを特徴とする請求項２に記載の注射薬自動払出装置。
【請求項４】
前記施用ラベルに記載されている情報を、バーコード或いはＩＣタグに記録し、前記親トレーと子トレーに添付することを特徴とする請求項１に記載の注射薬自動払出装置。
【請求項５】
前記施用ラベルに記載されている情報を、バーコードにて前記施用ラベルに印字し、該情報を表示することを特徴とする請求項１に記載の注射薬自動払出装置。
【請求項６】
前記表示装置に表示される情報には、患者の氏名、払い出された注射薬情報及び親トレーと子トレーの番号を表示することを特徴とする請求項５に記載の注射薬自動払出装置
【請求項７】
患者ごとの処方箋に従って複数の注射薬供給カセットに収納された注射薬を供給カセットから取出して、所定の注射薬を払い出す注射薬自動払出装置であって、
前記カセットから所望の種類及び数の注射薬を取り出す取出部を有する取出装置と、
前記取出装置を介して一回の注射薬の払い出し分を収納する親トレーと、
その親トレーの中に患者への一回の注射薬の施用分を収納する複数個の子トレーと、
前記親トレーを収納する親トレー収納棚と、
前記子トレーを収納する子トレー収納棚と、
前記親トレー或いは子トレーに患者情報と注射薬情報及びトレー情報を有する施用ラベル  
を投入する施用ラベル投入装置と、
前記親トレーと子トレーを保管するトレー保管棚と、
患者情報と注射薬情報及びトレー情報を管理する制御部と、
を備えたことを特徴とする注射薬自動払出装置。
【請求項８】
前記施用ラベルには、患者情報と注射薬情報及びトレー情報を有するバーコード或いはＩＣタグを添付することを特徴とする請求項７に記載の注射薬自動払出装置。
【請求項９】
前記制御部は、患者の注射薬の施用情報に基づいて、親トレーと子トレーの互いの親子関係を管理し、トレーに払い出された注射薬と制御部に記憶される情報との照合を行い、その照合結果に応じて警報を出すことを特徴とする請求項７に記載の注射薬自動払出装置。
【請求項１０】
患者自身に取り付けられる識別情報と、子トレー、親トレー或いは施用ラベルの情報の照合を行い、照合結果を表示することを特徴とする請求項７に記載の注射薬自動払出装置。
【請求項１１】
前記親トレーを収納する親トレー収納棚と、前記子トレーを収納する子トレー収納棚と、前記親トレーと子トレーを保管するトレー保管棚とは、脱着可能であることを特徴とする請求項７に記載の注射薬自動払出装置。
【請求項１２】
前記親トレーを収納する親トレー収納棚と、前記子トレーを収納する子トレー収納棚とは、それぞれ複数台取り付けることができることを特徴とする請求項７に記載の注射薬自動払出装置。
【発明の詳細な説明】
【技術分野】
【０００１】
本発明は、カセットに収納されている注射薬の入った容器をカセットから払い出す注射薬自動払出装置の改良に関する。
【背景技術】
【０００２】
注射薬の入っているアンプル等をカセットに充填しておき、必要に応じて取り出す従来の注射薬払出装置を図１１に示す。図１１において、１は、注射薬自動払出装置全体を示し、２は注射薬アンプル４が入っているカセットを示し、３はこのカセットを収納する棚を示す。棚は、縦横に多数に区分されており、複数のセル２３が形成されている。各セル２３には注射薬アンプル４を充填したカセット２が収納されている。１つのカセット２には、同一種類の注射薬４が、例えば３０個充填されている。注射薬を取り出すための装置５は、カセット２から注射薬を取り出すための取出部６を有する。
【０００３】
図示を省略した取出制御装置により制御されて、矢印１２Ａ及び矢印１３Ａ方向に動き、収納棚の後面３Ａで所望の注射薬４の入ったカセット２に位置決めされる。取出部６は、図示を省略した既知のロボットアームと同様の機構を有し、ロボットアームがカセット２から注射薬アンプル４を取出し、払出トレー４１に払い出す。払出トレー４１は、仕切板４２によって、複数の領域に分かれており、払い出される注射薬は、施用ごとに、異なる領域に払いだされる。払出トレー４１に払い出された注射薬アンプル４は、払出トレー４１ごと
施用場所のＰＣに運び、内容を確認した上で施用を行っていた。１回の注射薬払出業務で
複数の施用分の注射薬が払い出された場合には、１回の施用分であっても複数回の注射薬
アンプル４が入った払出トレー４１ごと、施用場所である病棟に運搬する必要があり、運搬中に他の施用分と交じり合ったり、運搬の際に払出トレー４１が嵩張るなど、問題が多かった。
【０００４】
また、各薬剤に貼られた物品ＩＤ番号をバーコードで印字した照合ラベルと医師の注射処方情報と自動照合した後、その照合結果に従って混注を行って、薬剤入りトレイからの薬剤の取り出し間違いを防止することが記載されている。（特許文献２）
【特許文献１】特開２００３−７９７０１号公報
【特許文献２】特開２００２−９２１８２号公報
【発明の開示】
【発明が解決しようとする課題】
【０００５】
１回の注射薬払出作業で複数回の施用分の注射薬を払い出す場合、運搬中のトレーが嵩張ること及び、他の施用分の注射薬と交じり合うことを防ぎ、払出の安全性が高まる注射薬自動払出装置を提供する。
【課題を解決するための手段】
【０００６】
従来の課題を解決するために、本発明の注射薬自動払出装置は、患者ごとの処方箋に従って複数の注射薬供給カセットに収納された注射薬を供給カセットから取出して、所定の注射薬を払い出す注射薬自動払出装置であって、前記カセットから所望の種類及び数の注射薬を取り出す取出部を有する取出装置と、前記取出装置を介して一回の注射薬の払い出し分を収納する親トレーと、その親トレーの中に患者への一回の注射薬の施用分を収納する複数個の子トレーと、前記親トレー或いは子トレーに患者情報と注射薬情報及びトレー情報を有する施用ラベルを投入する施用ラベル投入装置と、を備えたことを特徴としたものである。
【０００７】
また、本発明の注射薬自動払出装置は、患者ごとの処方箋に従って複数の注射薬供給カセットに収納された注射薬を供給カセットから取出して、所定の注射薬を払い出す注射薬自動払出装置であって、前記カセットから所望の種類及び数の注射薬を取り出す取出部を有する取出装置と、前記取出装置を介して一回の注射薬の払い出し分を収納する親トレーと、その親トレーの中に患者への一回の注射薬の施用分を収納する複数個の子トレーと、前記親トレーを収納する親トレー収納棚と、前記子トレーを収納する子トレー収納棚と、前記親トレー或いは子トレーに患者情報と注射薬情報及びトレー情報を有する施用ラベルを投入する施用ラベル投入装置と、前記親トレーと子トレーを保管するトレー保管棚と、患者情報と注射薬情報及びトレー情報を管理する制御部とを備えたことを特徴としたものでる。
【発明の効果】
【０００８】
以上の各実施例で詳細に説明したように、本発明によれば、施用ごとに払い出された注射薬を、施用場所である例えば病棟に運搬するとき、１回の施用分だけを取出して運ぶことができ、運搬の労力の削減、嵩張ることが防げるので省スペース化、イニシャルコストの削減が期待できる。
【０００９】
１回の施用分を子トレーに分けているため、他の施用分と混じりあうことを防止できる。また、施用ラベルを子トレーに投入、親トレー、子トレーに情報媒体を取り付けることで、払い出された注射薬の過不足があっても、人が目視で確認、情報端末で確認することもでき、安全な注射薬払出が行えるものである。
【発明を実施するための最良の形態】
【００１０】
以下に、本発明の注射薬自動払出装置の実施の形態を図面とともに詳細に説明する。
【実施例１】
【００１１】
図１は、図４に示す注射薬自動払出装置１００の要部である注射薬払出装置１の斜視図である。図２および図３は、本実施例における、親トレー７及び子トレー１０の斜視図である。
【００１２】
図４は、注射薬自動払出装置１００の全体の概略図であり、注射薬払出装置１に施用ラベル投入装置２８、親トレー収納棚３０、子トレー収納棚３１及びトレー保管棚２９を追加して注射薬自動払出装置１００として構成した斜視図である。
【００１３】
バーコード、ＩＣタグを用いたデータの流れの説明については、実施例２で説明する。  
【００１４】
従来の注射薬払出装置１１に示す要素と同じ要素には、同じ符号をつけている
図１において、注射薬払出装置１は、注射薬アンプル４が充填されたカセット２が収納されている収納棚３と、注射薬アンプル４をカセット２から取り出すための取出装置５と取出装置５に具備されている取出部６とより構成されている。ここで、カセット２を収納する収納棚３には、１００個以上のセル２３があり、そのセル２３の中にカセット２が収納されている。カセット２には、注射薬アンプル４が、例えば３０個充填することができる。
【００１５】
図１の７は、注射薬が払出される親トレーであり、図２、図３に示すように、７の親トレーの中に、所定の大きさの子トレー１０が入っている。図５に子トレーの形状、大きさ、配置などを示す。子トレーの大きさについては、図１において、親トレー７の１４Ａの方向は同一で、２１Ａの方向に均一に３等分した大きさの子トレーＡ（図５（ａ））、または、均一に４等分した大きさの子トレーＢ（図５（ｂ）参照）、均一に２等分した大きさの子トレーＣ（図５（ｃ）参照）等複数の種類の大きさの子トレーが用意されている。子トレーCは、子トレーBの倍の大きさである。
【００１６】
子トレーの選定については、１回の払出で３回の施用分の注射薬を払い出すときであれば、トレーＡを３個選定すればよく、３回の施用であっても、１回の施用分の量が多ければ、Ｂ２個、Ｃ１個というふうに選定される。また、前記Ａの子トレーにおいて、図１の１４Ａの方向に均一に２等分した大きさの子トレーＤ（図５（ｄ）参照）も使用することができる。子トレー１０の配置は、図５に示すような例があげられるが、子トレー１０は、親トレー７に機械的に固定せずに、子トレー１０を隙間なく並べることで、子トレーが移動することを防いでいる。このため、図６（ａ）、（ｂ）に示すような子トレーの配置であれば、隙間があり、子トレーが動くことが考えられるので、正しい施用区分の子トレーに払い出されない可能性があるので、適当ではない。
【００１７】
払い出される注射薬は、子トレーにのみ払い出され、親トレーに直接払い出されることはない。例えば、1回の親トレーへの払出で、親トレー７の中に、子トレー１０としてトレーＡが1個だけであるというのは適当ではなく、この場合であれば、トレーＡが3個選択され、2つのトレーＡは空のままということになる。
【００１８】
図２、図３に親トレー７、子トレー１０の斜視図を示す。
【００１９】
親トレ７ー及び子トレー１０には、バーコード９もしくは、ＩＣタグ１１が取り付けられ、親トレー７と子トレー１０のリンク情報が付加される。即ち、患者への注射薬の払い出しにおいて、患者ごとに親トレー７と子トレー１０が割り当てられ、その際、注射薬の種類とともに、子トレーの数、子トレーの種類が選定され、親子関係を設定する。
【００２０】
なお、親トレー７、子トレー１０に付されるバーコード９若しくはＩＣタグ１１は、両方を使用してもいいし、どちらか一方のみを使用してもよいことはもちろんである。
【００２１】
図４は、注射薬自動払出装置１００の概略図を示す。ここで、図1に示す注射薬払出装置１は、カバーを取り付けた状態で図４のごとくになる。３０は親トレー収納棚であり、親トレーのみが収納されている。３１は、子トレー収納棚であり、複数の種類の子トレーが収納されている。図示省略の注射薬自動払出装置１００の制御部からの指示で、払い出される注射薬の施用回数、種類、数量に応じて、任意の子トレーが選択され、親トレーに入れられる。この段階で、親トレー収納棚３０、子トレー収納棚３１に設置されている図示省略のバーコードリーダー、もしくはＩＣタグ読み取り装置で、親トレー７と子トレー１０のバーコード９、ＩＣタグ１１を読み取り、注射薬自動払出装置１００の制御部(図示せず）において、トレーの親子関係を記憶する。
【００２２】
また、別の方法で３１の子トレー収納棚を使わない方法もある。この場合、３０の親トレー収納棚に収納する段階で、予め親トレー７の中に子トレー１０を入れておく。この場合には、予め子トレー１０を親トレー7に入れる段階で、親子関係、子トレーの種類、数量及び子トレーの配置を、図示省略の制御部に記憶させておく必要がある。記憶させる方法としては、図４のタッチパネル式になっている表示装置２７で直接入力してもよいし、図１０の施用場所のＰＣ５２の他、ＬＡＮで接続されたその他のＰＣ５６からでも入力が可能である。
【００２３】
注射薬払出に際しては、子トレーを収納した親トレーを注射薬自動払い出し装置１００において、敷設されているコンベア１４（図１参照）によって、注射薬払出装置１に運び込まれる。図示を省略した制御部からの指令で、取出部６が、垂直方向１２Ａの方向及び、水平方向１３Ａの方向に移動して、指示された注射薬アンプルが入ったカセット２の後ろに移動し、取出部６によって、カセット２の中から、所望の注射薬アンプル４を取り出す。
【００２４】
注射薬アンプル４の入ったカセット２より、注射薬アンプル４を取り出す構造の詳細については、本発明と直接関係ないので、詳細な説明は省略する。取出装置５の取出部６に払い出された注射薬アンプルは、取出部６が、垂直方向１２Ａ、水平方向１３Ａに移動して、親トレー７の中に入っている子トレー１０に、施用区分毎に払出し作業を行う。
【００２５】
取出装置５の取出部６が注射薬アンプル４を取り出し、注射薬アンプル４を子トレー１０に払い出す方法としては、１４Ａの方向での施用区分の違いの払出方法（図５（ｄ）の子トレーＤの場合）としては、コンベア１４が１４Ａの方向に動いて、トレーの位置を移動させるか、取出部６が１３Ａの方向に動くことで、子トレーの施用区分を選択する。２１Ａの方向の施用区分の払出（図５（ａ）、（ｂ）、（ｃ）の子トレーＡ、子トレーＢ、子トレーＣなどの場合）については、図１に示す注射薬払出装置１において、コンベア１４を固定しているレール１６が、両側のレールを、同一時間に同一速度で、２１Ａの方向に移動することで、トレーの位置が移動することで、異なる施用区分への払出が可能となっている。
【００２６】
即ち、親トレー７を２１Ａの方向に移動さすことにより、所定の子トレーＡ、Ｂ、Ｃに所定の注射薬を払出す。また、親トレーを２１Ａと１４Ａの両方向に移動さす制御を行うことにより、図５（ｄ）に示すような子トレーＡと子トレーＤを含む場合の払出に対応することができる。
【００２７】
また、親トレー７については、基本的に１種類しか用いないが、２１Ａの方向で大きさの異なる親トレー７についても対応ができる。この場合、前記レール１６のうち片方のみが移動することで、レール幅を変化させることが可能で、２１Ａの方向で大きさの異なるトレーを用いることができる。
【００２８】
次に、同じ動作を行い、別の施用分の注射薬を、同一の親トレー７の中にある、別の子トレー１０に払出し作業を行う。同様な作業を行い、1人の患者の各施用分の注射薬が全て払出されると、コンベア１４によって、取出窓１７を通ってトレーは注射薬払出装置１本体から運び出され、図４に示す施用ラベル投入装置２８において、各子トレー１０に払出された注射薬の種別、数量、患者名、施用区分、施用時間、親トレー７と子トレー１０の親子関係及びその他の必要な情報を印字した用紙である施用ラベル６１（図７参照）を各子トレー１０ごとに投入する。施用ラベル６１を各子トレー１０ごとに投入する方法も、前記注射薬の払出と同様で、２１Ａの方向へは、レール１６が動くことで、１４Ａの方向に対しては、コンベアが動くことで対応している。
【００２９】
施用ラベル６１は、子トレーごとに投入してもよいが、子トレー１０の数量が増加した場合には、施用ラベル６１も小さくしないといけなく見にくくなるので、１回の払出作業分を１枚の施用ラベルとして、子トレー１０の上に投入することもできる。この場合には、各施用区分ごとの施用ラベルではないため、子トレー１０に入り込んではいけないので、子トレー１０よりは大きく、親トレー７よりやや小さめのラベルが選択される。子トレー１０を親トレー７に入れた状態で、親トレー１０の側壁の高さは、子トレーの高さよりも高いため、施用ラベルが親トレー７から外に出ることもない。図８に、子トレーごとに施用ラベルを投入した例、図９に、親トレーで１枚の施用ラベル６１（子トレーの上に置く方法）を投入した例を表示している。
【００３０】
図７に示す施用ラベル６１については、前述したように、患者名、患者を識別するため
の患者番号、患者に投与される日時とともに施用される注射薬情報、更に、親トレー番号と子トレー番号及びそれらに対応するバーコード（ＩＣタグの場合もある）が含まれる。
【００３１】
図７において、施用ラベルに記載する情報をバーコード或いはＩＣタグに記録して該施用ラベルに添付するのは、バーコードが、汚染等で読み込めない場合の安全対策上の考慮もあるが、他に、電子情報としての管理などを考慮したものである。即ち、人が直接目視できる施用ラベルとバーコードやＩＣタグの両方を使用してより確実に注射薬の確認を行うことができる。施用ラベルは、人が直接目視で確認でき、バーコードリーダーが故障等で使えない場合に、記載されている数字を、施用場所のＰＣに入力することで、払い出された注射薬が正しいかどうか、確認することができる。
【００３２】
ここで、投入される施用ラベルには、払い出された注射薬の種類、数量の情報を、目視で確認するため数字及び文字で記入する他に、図７に示すように記入されたそれらの情報をバーコードで表示させることもできる。バーコード表示の場合、照合確認の際にミスがなくなることが期待される。親トレー７は、コンベア１４で運び出される際に、図１に示すように注射薬払出装置１の本体につけられているバーコードリーダー１９、もしくはＩＣタグ読み取り装置２０で、親トレー７のバーコードもしくはＩＣタグを読み込む。ここで、親トレー７は1人の患者の1回の注射薬払出し分とする。通常、注射薬払出作業は、1日1回実施するので、親トレー７は、1人の患者の1日分の注射薬が払出されることになる。そして、その払い出しは、親トレー７の中に配置される子トレー７に１回の施用分に小分けして払い出される。なお、注射薬の払出作業は、1日2回、3回と行ってもよく、また、２日に1回、3日に１回にするということもできる。
【００３３】
1日に1回注射薬払出作業を行うものとして、子トレー１０に払出される注射薬について説明する。子トレー１０については、施用区分毎に払出し作業を行うが、施用とは、1回の注射作業のことであり、1回の作業で３本の注射を打つとしても施用では１回と数える。１日に、朝、昼、夕に注射をするとすれば、朝に打つ注射作業を１施用という。１日に、朝、昼、夕の３回するとすれば、３施用分ということになる。注射薬が払出され、施用ラベルが入れられたトレーは、図４のトレー保管棚２９に収納される。
【００３４】
即ち、トレーの進行方向３２は、図４に示す矢印３２の方向に進む。
【００３５】
施用時にはトレー保管棚２９に収納されている親トレー７の中から、該当の施用分の子トレー１０だけを取り出して、図１０に記載の台車５９で施用場所である例えば病棟に運ぶ。この際に、１回の施用分の子トレー１０だけを運ぶため、トレーが嵩張ることもなく、また他の施用分の注射薬と混じりあうことも防げる。
【００３６】
病棟に運ばれた子トレー１０は、注射薬払出装置１に接続された、施用場所ＰＣ５２に接続されたバーコードリーダー５８もしくは、図示省略のＩＣタグ読取装置で子トレー１０のバーコード９もしくは、ＩＣタグ１１を読み込み、施用場所に設置された施用場所ＰＣに子トレー１０に払い出された注射薬アンプル４の、種類、数量及び患者名を表示させる。表示された種類、数量を子トレー１０の中に入っている注射薬アンプル４及び施用ラベルとを確認して間違いないことを確認した上で、患者に対して施用を行う。
【００３７】
施用ラベルに払い出された注射薬アンプル４の情報をバーコードで印字し、その情報を表示する場合、バーコードリーダーで読み込むことで、さらに内容確認の精度は向上する。ここで、例えば表示装置には、患者名だけでなく、患者の写真、カルテ、その他患者の情報及び、注射薬個々の注意事項、効用等を表示させることもできる。
【００３８】
患者に施用する際には、子トレー１０に投入されている施用ラベル、表示装置に表示された内容、患者を確認して、施用を行うことで、注射薬の取り間違い、患者の取り間違いを防ぐことができる。前記施用とは別の施用時には、トレー管理棚２９に保管されている親トレー７の中から該当の子トレー１０を取り出し、前記と同様な作業を行うことで、安全な施用を行うことができる。
【００３９】
前記注射薬自動払出装置１００の構成として、前記親トレー収納棚３０と前記子トレー収納棚３１と、前記トレー保管棚２９とは、運転を行わないときには取り外せることができるようになっていて、メンテナンス時等には取り外して作業を行うことができる。
【００４０】
また、前記親トレー収納棚３０と、前記子トレー収納棚３１については、必要に応じて複数台設置することができる構造となっている。
【００４１】
すなわち、例えば長期間連続運転をする場合、前記親トレー収納棚３０に収納される親トレー７及び前記子トレー収納棚３１に収納される子トレー１０の枚数については、一定枚数しかないので、前記親トレー収納棚３０と前記子トレー収納棚３１とを複数台設置することで、トレーの補充をすることなく長期間の連続運転を行うことが可能な構造となっている。
【実施例２】
【００４２】
バーコード、ＩＣタグを主体としたデータの流れを図１０を用いて、実施例２として詳細に説明する。図１０は、本発明の注射薬自動払出装置のネットワークを説明するための周辺図である。本願発明においては、バーコード、ＩＣタグのいずれでも実施可能であるが、以下の説明においては、バーコードを用いての説明を行う。ＩＣタグについても説明は同一であるので、文中のバーコードをＩＣタグと読み替え、バーコードリーダーをＩＣタグ読取装置と読み替えることで、ＩＣタグの説明を実施したものとする。
【００４３】
図１０において、医師が医師ＰＣ５４に、患者に処方する注射薬の情報を入力する。即ち、患者ごとの処方箋に従って入力されたデータは、５５の注射薬管理システムに送信される。注射薬管理システム５５は、施用場所のＰＣ５２の他、病院内の各部門のＰＣ５６とＬＡＮで接続されており、例えば薬剤部門、経理部門等も必要に応じて内容を確認することができる。但し、各部門のＰＣ５６から無条件に確認できるようになっているわけではなく、業務での必要に応じてしか閲覧確認できないようになっている。
【００４４】
別の方法として、医師ＰＣ５４と注射薬管理システム５５が接続されていない場合、または別の病院等の場合、医師が５３の処方箋印字装置５３で処方箋を発行し、作業者が５２の施用場所ＰＣで処方箋のデータを入力してもよい。この場合にも、データは５５の注射薬管理システムに送信される。注射薬管理システム５５から、注射薬自動払出装置１００の図示省略の制御部に払出データが送信される。
【００４５】
注射薬自動払出装置の制御部（図示せず）は、患者ごとの払出データに基づき、子トレー収納棚３１に子トレーの数量を指示する。例えば、ある患者の１回の注射薬払出業務、例えば１日に１回とすると、１日に何回の施用があるかと、１施用ごとの払出量を判断して、子トレーの種類、大きさを判断する。例えば、１日に２施用しかないとすれば、２個の子トレーを出し、３施用であれば、３個の子トレーを供給するように選択する。実際の動きでは、親トレー収納棚３０から親トレー７が供給される。このとき、親トレー収納棚に取り付けられた図示省略のバーコードリーダーで、親トレー７のバーコード９を読み取り、そのデータを注射薬自動払出装置の制御部（図示せず）に送信する。そして、親トレー７は、子トレー収納棚３１に取り込まれ、前記の判断で選択された子トレー１０を、親トレー７に供給される。ここでも、子トレー１０を供給する際に、子トレー１０のバーコード７を読み取り、注射薬自動払出装置の制御部(図示せず)に送信する。これで、親トレー７と子トレー１０の親子関係及び子トレー１０が親トレー７のどこに入ったかの情報が認識される。
【００４６】
親子状態になったトレーは、注射薬払出装置１に運び込まれ、施用区分ごとに注射薬が子トレーに供給される。この払出業務のとき、払い出した注射薬の情報も注射薬自動払出装置の制御部（図示せず）に記憶され、トレーと払い出された注射薬の関係が記憶される。払出業務が終了したトレーは、１７の取出窓を通るまでに、バーコードリーダー１９で、親トレー７のバーコード９を読み込む。ここで、注射薬自動払出装置の制御部（図示せず）に記憶されていた情報と照合を行い、ＮＧであれば運転を停止し、警報を出す。照合が問題なければ、施用ラベル投入装置２８に運び込まれ、記憶されている注射薬の種類、数量及び子トレーの固有番号を記載した施用ラベルを、施用ラベル投入装置２８で印字し、施用ごとに分けられた子トレー１０に投入される。施用ラベルが投入されたトレーは、２９のトレー保管棚に保管されていく。トレー保管棚２９は、１つの注射薬自動払出システム１００で複数用意されており、かつ施用ラベル投入装置２８から切り離しして自由に持ち運ぶことができる。
【００４７】
払出業務が進んでトレー収納棚２９がトレーで一杯になると、施用ラベル投入装置２８から切り離し、別のトレーが空のトレー保管棚２９を持ってくる。施用時には、その回の施用分だけ、例えば１日に３回の施用区分があり、朝、昼、夕になっているとして、朝の施用時には、朝の分だけの施用分の子トレー１０を、親トレー７から取り出し、施用場所である、例えば病棟に運搬する。病棟に運び込まれた子トレー１０は、施用場所ＰＣ５２に接続されているバーコードリーダー５８で、子トレー１０のバーコード９を読み込み、制御部に記憶されている、注射薬の種類、数量及び患者名を施用場所ＰＣ５２の表示装置に表示させる。
【００４８】
作業者は前記表示されたデータ及び子トレー１０に入っている施用ラベルを目視確認及び施用ラベルのバーコードをバーコードリーダー５８で読み込むことで照合を行い、問題ないことを確認する。
【００４９】
実際の施用にあたっては、患者の腕に取り付けられているリストバンドに取り付けられている、患者を識別するためのバーコード６０と、子トレーのバーコード９、施用ラベルに印字されたバーコードを、バーコードリーダー５８で読み込み、照合が取れれば注射の施用を実施する。
【００５０】
注射薬の払出後に、患者への処方が中止、または変更になった場合には、医師が新しい処方を医師ＰＣ５４に入力すれば、新しい処方の注射薬が、同様の手順で払い出される。
患者への施用前には、必ず施用場所ＰＣ５２、バーコードリーダー５８で確認するので、
確認時点で、注射薬管理システム５５の情報は更新されているので、既に払い出された旧の処方に基づく子トレー１０の注射薬を施用しようとしても、施用場所ＰＣ５２に間違いの表示がなされるので、誤って古い注射薬を施用するミスも防げる。
【００５１】
施用を行うことができる。このような複数のチェック項目をつけることで、間違いを防止することができるし、間違いがあった場合に確実に間違いを確認することができるシステムになっている。
【産業上の利用可能性】
【００５２】
本願発明は、病院等の薬剤部門において使用される、注射薬を自動的に払い出す装置に利用することができる。
【図面の簡単な説明】
【００５３】
【図１】本発明の注射薬払出装置の斜視図
【図２】本発明の注射薬自動払出装置における親トレーの斜視図
【図３】本発明の注射薬自動払出装置における子トレーの斜視図
【図４】本発明の注射薬自動払出装置の全体の外観構成図
【図５】本発明の注射薬自動払出装置の親トレー内に配置する子トレーの配置を説明するための図
【図６】本発明の注射薬自動払出装置の親トレー内に配置する好ましくない場合の子トレーの配置を説明するための図
【図７】本発明の注射薬払出装置の施用ラベルを示す図
【図８】本発明の注射薬自動払出装置における子トレーへの施用ラベルの投入方法を説明するための図
【図９】本発明の注射薬自動払出装置における親トレーとして１枚の施用ラベルの投入方法を説明するための図
【図１０】実施例２に用いる注射薬自動払出装置のネットワークを説明するための図
【図１１】従来の注射薬払出装置の斜視図
【符号の説明】
【００５４】
１  注射薬払出装置
２  カセット
３  収納棚
３Ａ  収納棚からのカセット取出し方向
３Ｂ  注射薬アンプルの払出側方向
４  注射薬アンプル
５  取出装置
６  取出部
７  親トレー
９  バーコード
１０  子トレー
１１  ＩＣタグ
１２  モーター
１３  ベルト
１４  コンベア
１５  モーター
１６  レール
１７  取出窓
１８  モーター
１９  バーコードリーダー
２０  ＩＣタグ読取装置
２２  レール
２３  セル
２８  施用ラベル投入装置
２９  トレー保管棚
３０  親トレー収納棚
３１  子トレー収納棚
３２  トレーの進行方向
４１  払出トレー
４２  仕切板
５２  施用場所のＰＣ
５３  処方箋印字装置
５４  医師ＰＣ
５５  注射薬管理システム
５６  各部門のＰＣ
５８  施用場所のバーコードリーダー
５９  台車
６０  患者のリストバンドのバーコード
６１  施用ラベル
１００  注射薬自動払出装置
【図１】
2006109899.tif 000003
【図２】
2006109899.tif 000004
【図３】
2006109899.tif 000005
【図４】
2006109899.tif 000006
【図５】
2006109899.tif 000007
【図６】
2006109899.tif 000008
【図７】
2006109899.tif 000009
【図８】
2006109899.tif 000010
【図９】
2006109899.tif 000011
【図１０】
2006109899.tif 000012
【図１１】
2006109899.tif 000013